(57)【要約】【課題】カード式保険証に代わり、携帯電話機に保険証情報を保有させて、これを使用する保険証システムにおいて、携帯電話からの保険証情報の漏洩がなく、セキュリティー面で安全なモバイル保険証システムを提供すること。【解決手段】健康保険若しくは介護保険の被保険者の保険証情報を統括管理する保険管理センタの保険管理サーバと、特定の医療機関内若しくは介護施設内に位置することを検知することによって前記保険管理サーバと通信可能とし、前記被保険者の保険証情報を受信する保険証アプリケーションソフトが予めインストールされている携帯電話機と、医療機関若しくは介護施設に設置され、前記携帯電話機が受信した保険証情報を読取る保険証情報読取り装置とから構成したことを特徴とするモバイル保険証システム。【選択図】図１
2009259185.tif 000002
【特許請求の範囲】
【請求項１】
健康保険若しくは介護保険の被保険者の保険証情報を統括管理する保険管理センタに設置された保険管理サーバと、
特定の医療機関内若しくは介護施設内に位置することを検知することによって前記保険管理サーバと通信可能とし、前記被保険者の保険証情報を受信する保険証アプリケーションソフトが予めインストールされている携帯電話機と、
医療機関若しくは介護施設に設置され、前記携帯電話機が受信した保険証情報を読取る保険証情報読取り装置と、
から構成したことを特徴とするモバイル保険証システム。
【請求項２】
前記携帯電話機が前記特定の医療機関内若しくは介護施設内に位置することの検知は、前記携帯電話機を前記保険証情報読取り装置にセットされることにより行われることを特徴とする請求項1記載のモバイル保険証システム。
【請求項３】
前記携帯電話機はＧＰＳ位置検知機能を具備する電話機であって、前記特定の医療機関内若しくは介護施設内に位置することの検知は、このＧＰＳ位置検知機能により、この携帯電話機の所在情報を取得して行われることを特徴とする請求項1記載のモバイル保険証システム。
【請求項４】
前記携帯電話機はＧＰＳ位置検知機能を具備する電話機であって、このＧＰＳ位置検知機能により、前記携帯電話機の所在位置が医療機関外、若しくは介護施設外にあるとき、前記携帯電話機に保持されている保険証情報が、自動的に暗号化され、判読を不可能にすることを特徴とする請求項1乃至請求項３のいずれかに記載のモバイル保険証システム。
【発明の詳細な説明】
【技術分野】
【０００１】
本発明は、健康保険証や介護保険証などの保険証情報を携帯電話機に記憶させ、携帯電話機をカード式や冊子式の保険証の代わりとして保険証情報を提供するモバイル保険証システムに関する。
【背景技術】
【０００２】
従来、病院や診療所などの医療機関若しくは介護施設で診察を受ける際には、その医療機関に保険証を提出して診察券を発行してもらい、再受診する際は、その再診の度に、医療機関の受付けに、診察券と共に保険証を提示し、被保険者であることを示して、保険診療を受けるシステムになっている。特に、被保険者の資格が月単位で設定、更新されるこのシステム制度では、数ヶ月に亘る同一の診療においても、月初めに、改めて、保険証を提示する必要がある。
【０００３】
ところが、この月初めに再診する際、しばしば保険証の持参を忘れてしまう問題があった。この問題を解決する手段として、特開２００２−３５１９９７号公報（特許文献１）に記載されているように、ＩＣカードによる保険証カードに対し、ＩＣカード読取り部によりこの保険証の情報を読取って、携帯電話機の記憶部にこの情報を記憶させ、保険証カードの機能を携帯電話機に持たせる技術が知られている。
【特許文献１】特開２００２−３５１９９７「携帯電話を用いたＩＣカード保険証システム」（出願人：東日本メディコム（株））
【発明の開示】
【発明が解決しようとする課題】
【０００４】
しかしながら、この公知技術では、携帯電話機を紛失した場合、携帯電話機に記憶させている個人情報が漏洩する恐れがあり、セキュリティー面で大きな問題があった。
【０００５】
そこで、本発明は、保険証情報の提供を目的とし、通信機能を有する携帯電話機を使用する保険証システムにおいて、保険証情報の漏洩が容易に起こり難く、且つ保険証の本来の目的である、医療若しくは介護の行為を受ける場合に限って有効に保険証として通用する、保険証情報に対するセキュリティー面でも、医療機関内に限定してその証明を行使できる安全なモバイル保険証システムを提供することにある。
【課題を解決するための手段】
【０００６】
請求項１記載の本発明のモバイル保険証システムは、健康保険若しくは介護保険の被保険者の保険証情報を統括管理する保険管理センタに設置された保険管理サーバと、特定の医療機関内若しくは介護施設内に位置することを検知することによって前記保険管理サーバと通信可能とし、前記被保険者の保険証情報を受信する保険証アプリケーションソフトが予めインストールされている携帯電話機と、医療機関若しくは介護施設に設置され、前記携帯電話機が受信した保険証情報を読取る保険証情報読取り装置とから構成したことを特徴とするものである。
【発明の効果】
【０００７】
本発明によれば、日常的に携行することが一般的な携帯電話機に、保険診療を受ける為の保険証情報を読み込ませ、記録しているので、保険証の携行が不要となり、保険証自体の紛失を防止することができる。
【発明を実施するための最良の形態】
【０００８】
以下、本発明の実施形態につき、図1乃至図６を用いて詳細に説明する。なお、本発明の実施形態は、煩雑を避けて、医療機関における健康保険証の場合について説明するが、これに限るものでは無く、介護施設における介護保険証に対しても同様に作用、作動、機能させるものである。
【０００９】
（実施形態の全体の構成）
図１は、本発明のモバイル保険証システムの実施形態の構成を示す模式図である。この図１に示すように、本実施形態は、通信システムにより接続される、被保険者が操作する携帯電話機１と、被保険者の健康保険証を管理する保険管理センタ２と、被保険者が診察や治療、検査を受ける医療機関（若しくは介護施設）３と、携帯電話機１の位置を知る信号を発信するＧＰＳ（Ｇｌｏｂａｌ  Ｐｏｓｉｔｉｏｎｉｎｇ  Ｓｙｓｔｅｍ：全地球測位システム）衛星５１とから成る。
【００１０】
さらに、携帯電話機１は、種々のデータ及び設定情報を記憶保存するデータ保持部１１と、音声と文字情報を通信する通信機能部１２と、ＧＰＳ衛星５１からの信号により携帯電話機１の位置を知るＧＰＳ検知部１３と、健康保険証に関するアプリケーションソフトの保険証アプリをダウンロードし、保険証情報を保持する保険証アプリ部１４とを具備する。
【００１１】
また、健康保険の保険管理センタ２は、多数の被保険者の保険情報を記憶、保持する被保険者情報データベース部２１と、被保険者の要望により、被保険者が携行する例えば携帯電話機１によって、カード式若しくは冊子式健康保険証に代わり健康保険証情報を提供するモバイル保険証のアプリケーションソフトを供給する「モバイル保険証」アプリ部２２と、これ等の各部の作動を制御する保険管理センターサーバ２３と、により構成される。
【００１２】
また、医療機関３においては、その医療機関内の医事業務に関わる情報を制御し、医療機関外部とは例えば専用の通信回線（図示せず）により接続される医療機関サーバ３１と、この医療機関サーバ３１を介して、健康保険業務に関わる被保険者情報及び健康保険給付点数集計などデータを医療機関内で管理する保険証データ確認処理部３２と、医療機関内において、被保険者の要望により、被保険者が携行する例えば携帯電話機１によって、従来の健康保険証に代わりとなる「モバイル保険証」の情報確認とその承認結果として同保険証の保険証情報を提供する「モバイル保険証」の読取り装置３３とを具備している。これ等の医療機関サーバ３１、保険証データ確認処理部３２、読取り装置３３相互は、医療機関内ＬＡＮにより接続されている。
【００１３】
携帯電話機１と保険管理センタ２との間は、「モバイル保険証」のアプリケーションソフトの「モバイル保険証」アプリに関する通信が行われる公衆通信システム４１の携帯電話回線により、また、健康保険の保険管理センタ２と医療機関３との間は、相互のデータ交換量に対応して、例えば健康保険業務連絡用の情報連絡用通信システム（図示せず）を設けて、相互の通信が行える回線接続の構成が成される。
【００１４】
（本実施形態のワークフローと全体の処理フロー）
本発明のモバイル保険証システムの実施形態における保険証情報の提供の動作、処理について、このモバイル保険証システムを構成する管理センタ、ＧＰＳ機能部、被保険者の携帯電話機、及び医療機関それぞれが作動する動作のワークフロー図を図２に、本実施形態全体のシステム処理フローを図３に、それぞれ示す。
【００１５】
また、このシステムを利用するために、携帯電話機１のアプリケーションソフトのモバイル保険証アプリを予め準備する手順を図４に、医療機関における受診・受検の受付において、本発明の実施形態の携帯電話機によるモバイル保険証を提示する二つの操作法の手順を図５及び図６に、それぞれ示す。これ等について、以下にその詳細を説明する。
【００１６】
先ず、図２のワークフロー図に示す動作Ｗ０１は、本発明の実施形態のモバイル保険証システムを作動させるアプリケーションソフトのモバイル保険証アプリのインストールである。これは、本実施形態におけるシステム処理手順の全体の流れを示す図３のステップS０１において、モバイル保険証アプリを携帯電話の通信網を介して、被保険者が所持する携帯電話機１に、予めインストールを行う。
【００１７】
（モバイル保険証アプリの準備手順）
本実施形態においてモバイル保険証に対するアプリケーションソフトの準備手順として行われるステップＳ０１のインストールについて、図４に示すフロー図より詳細に説明する。
【００１８】
被保険者が所持する携帯電話機１により、モバイル保険証を始めて使用する場合には、先ず、図４に示す最初のステップＳ３１において、被保険者の所属する健康保険機関（若しくは介護保険機関）の保険管理センタ２の携帯サイトにアクセスする。アクセスにより、ステップＳ３２において、この保険管理センタの指定するインストール専用のパスワードにより、モバイル保険証アプリのインストールを開始する。
【００１９】
さらに、インストールが開始されたステップＳ３３において、被保険者の氏名、性別、生年月日、住所、電話番号、勤務先、カード型または冊子型の保険証記号番号、及び被保険者を個人識別する被保険者パスワードなどの保険証情報を、設定、登録する。
【００２０】
続いて、ステップＳ３４においては、この被保険者が入力した保険証情報と、保険管理センタ２の保持する保険証データとが照合され、被保険者が設定した保険証情報と被保険者パスワードの再確認も行われ、被保険者当人以外の操作を避ける処置が行われる。
【００２１】
ステップＳ３５において、これ等の情報や設定に不合理が無ければ認証されて、次のステップＳ３６において、モバイル保険証アプリが被保険者の携帯電話機１にダウンロードされ、インストールが完了する。
【００２２】
このインストールされたモバイル保険証アプリは、操作した被保険者の保険証情報のデータと、この携帯電話機1が保険証情報の提示する作動に対する制御プログラムとを有している。携帯電話機１の操作ボタンまたはスイッチの操作では、内容を直接見ることができないように、ステップＳ３７において、暗号化されて記録されており、その内容を知ることは通常の操作ではできない処置がされる。
【００２３】
この暗号化は、後述する所定の条件の下で、例えばこの携帯電話機１の所在位置の条件が、ＧＰＳ機能により医療機関内に居る場合、若しくは特別の器具装置の例えば医療機関に据付けられた「モバイル保険証」の読取り装置３３による操作による場合などにおいては、暗号化が解除され、モバイル保険証アプリが作動し、データが判読できるようになる。
【００２４】
上述のように、本発明の実施形態で行われるモバイル保険証アプリのインストールでは、一般的なカード式の保険証、例えばＩＣカード式保険証に内蔵するＩＣチップに書き込まれる保険証情報とほぼ同様の被保険者の個人情報を、モバイル保険証アプリ内に保持しており、被保険者の保険情報に変更が無い有効期限までは、ただ一度のダウンロード実施により保持された保険証データは維持されるが、同じく書き込まれた制御プログラムの実行によりこれ等の情報が読み出されるので、所定の条件下以外では制御プログラムも暗号化されており、情報の読み出しが不可となる判読ができない処理がなされ、利用することができない。
【００２５】
医療機関に到着した被保険者が、従来のカード式保険証を持参している場合は、図２の動作Ｗ０２ (処理手順の図３ではステップＳ０２において) は、従来のカード式保険証により、次の動作W１４（処理手順の図３ではステップＳ０４において)の診療受付を行う。なお、従来のカード保険証若しくは冊子の保険証を持参している場合は、ステップＳ３０の点線で示す従来のこれ等の保険証の提示による受付、受診、会計のそれぞれの手続きが行われて、従来の健康保険証の利用もできる。
【００２６】
一方、従来のカード式保険証を持参していない場合は、図２の動作Ｗ０２（処理手順の図３ではステップＳ０２において)は、モバイル保険証のアプリケーションを起動方法が異なる動作W０３若しくは動作Ｗ０５の何れかを、被保険者が選択する（処理手順のステップＳ０３）。
【００２７】
なお、動作Ｗ０２で（処理手順の図３ではステップＳ０２において)、携帯電話機１にモバイル保険証アプリがインストールされていない場合は、動作Ｗ０１（処理手順ではステップＳ０１）に戻って、携帯電話機１を操作して、モバイル保険証アプリをインストールした後に、動作W０３若しくは動作Ｗ０５の選択（ステップＳ０３）を行う。
【００２８】
図３のステップＳ０３以降で行う、従来のカード型保険証に代わるモバイル保険証を一時的に有効化する処理について、医療機関の受付担当者に任せる受付担当処理手順の詳細を図５に示す第１の受付処理（ステップＳ０４〜Ｓ０５、若しくは動作Ｗ０３、Ｗ０４、Ｗ０８）と、被保険者自身が携帯電話機１を操作し、モバイル保険証の内容確認をしながら進める本人操作手順の詳細を図６に示す第２の受付処理（ステップＳ２１〜Ｓ２２、若しくは動作Ｗ０５〜Ｗ０８）との何れかを、ステップＳ０３（動作Ｗ０２）において選択する。
【００２９】
（モバイル保険証の第１の受付処理手順）
図３に示すステップＳ０３において、被保険者が受付担当処理手順（第１の受付処理）を選んだ場合は、図３の分岐ステップＳ０３の「Ｎｏ」の選択となり、次のステップＳ０４において、モバイル保険証アプリをインストールした被保険者の携帯電話機１を、医療機関の受付担当者に保険証として渡す。
【００３０】
さらに、ステップＳ０５においては、図５にフロー図を詳しく示し、以下に説明するステップＳ４１〜Ｓ５０の処理が行われる。
【００３１】
この第１の受付処理では、図５のステップＳ４１において、医療機関の受付担当者は、図１に示す医療機関３に設置される「モバイル保険証」の読取り装置３３に、この受け取った携帯電話機１をセット（図２のワークフロー図における動作Ｗ０３）する。
【００３２】
この携帯電話機１のセットにより、携帯電話機１にインストールされたモバイル保険証アプリが起動される。この起動により、モバイル保険証アプリが医療機関３の保険証データ確認処理部３２を作動させて、「モバイル保険証」の読取り装置３３の予め設定された機器パスワードの自動認証の下で、公衆通信システム４１を介して保険管理センタ２の保険管理センターサーバ２３を経由して被保険者情報データベース部２１への通信接続が行われる。
【００３３】
この接続により、さらに特定個人の保険証情報を検索するために、ステップＳ４２において、被保険者のパスワードの入力が、保険管理センターサーバ２３から要求される。
【００３４】
この要求に対し、ステップＳ４３で、被保険者が自分のパスワードを入力し、ステップＳ４４でそれが認証されると、ステップＳ４５において、「モバイル保険証」の読取り装置３３により、先ずモバイル保険証アプリが起動され、モバイル保険証アプリのインストール後に暗号化されて、具体的な内容が非公開となっていた携帯電話機１の保険証情報を解読可能にして、保険管理センタ２へ通信接続する。
【００３５】
ステップＳ４６において、この接続してきた医療機関３の機関名及び所属コードなどの医療機関情報を得ると共に、接続された携帯電話機１の保険証情報と、被保険者情報データベース部２１に記録される保険証情報との内容一致が確認されると、さらに、保険管理センターサーバ２３は、読取り装置３３の予め設定された機器パスワードの自動認証により、発信元の医療機関３に関する情報（図２の動作Ｗ０４）は把握することができ、モバイル保険証が使用される医療機関が特定できる。
【００３６】
この特定により、ステップＳ４７において、保険証情報を提示している携帯電話機１の所在が、所定の医療機関の施設内と判定され、ステップＳ４８において、同医療機関３に設置される「モバイル保険証」の読取り装置３３の読取り接続と共に、保険証情報の暗号化を解除し、ステップＳ４９において、携帯電話機１を持参する被保険者の保険証情報を、医療機関３の受付担当が見ている読取り装置３３若しくは携帯電話機１に表示する。
【００３７】
一方、ステップＳ４７の判定で、所定の医療機関外と判定された場合は、ステップＳ５３の処理をして、保険証情報は表示されない。一般的には、「モバイル保険証」の読取り装置３３は、医療機関に備え付けられるが、不法な行為により医療機関ではない所に設置され、偽装、操作された場合では、ＧＰＳ機能による所在位置が不当と成って、保険証情報は解読できない。
【００３８】
ステップＳ４９で「モバイル保険証」の読取り装置３３、若しくは携帯電話機１に表示された保険証情報を、ステップＳ５１において、受付担当者が確認し、さらに被保険者、即ち患者の病状、不調の状況を聴取する。また、予約の状況についても聴取する。
【００３９】
ステップＳ５２では、受付担当者が、被保険者の過去の受診、受検の情報を検索、確認し、担当医、担当診療科の設定、連絡を行う。
【００４０】
なお、ステップＳ５０では、本実施形態のＧＰＳ機能による暗号化／非暗号化の暗号解除の操作が行われる。本実施形態のＧＰＳ機能とは、被保険者の携帯電話機１自らが、ＧＰＳ衛星５１からの信号の受信を所定の時間間隔で行い、携帯電話機１の位置が医療機関の所在位置である所定範囲の外に有ることを確認した場合は、携帯電話機１に保持するデータの一部、例えば保険証情報を、非公開とする暗号化処理を行い、一方、所在位置の範囲内に有ることを確認した場合は、その暗号化処理を解除し、判読できる処理手順を、携帯電話機１に保持させて、保険証情報をその暗号化の対象として実施する機能である。
【００４１】
さらに、図３のステップＳ０６において、受付担当は、被保険者の保険証情報を確認して、受診・受検を予定する者に対する診療順の設定、受診記録（カルテ）の準備などの受付業務を行って、その被保険者、即ち患者には、図３のステップＳ０７の診療科或いは待機などを指示する。
【００４２】
（モバイル保険証の第２の受付処理手順）
一方、図３に示すステップＳ０３において、被保険者自身が、携帯電話機1を直接操作して、モバイル保険証の内容を確認しながら、モバイル保険証の保険証情報を取得し、医療機関３にモバイル保険証情報を提示する本人操作処理手順（第２の受付処理）を選んだ場合、即ち、「モバイル保険証」の読取り装置３３を設置していない小規模の診療施設や、読取り装置３３の使用が混雑している場合は、図６に詳細のフロー図を示す第２の受付処理（ステップＳ２１〜Ｓ２２、若しくは動作Ｗ０５〜Ｗ０８）を、被保険者が直接行って、モバイル保険証を提示する。
【００４３】
以下に、本人操作処理手順（第２の受付処理）を、その処理の詳細フロー図である図６より説明する。
【００４４】
被保険者が、モバイル保険証アプリがインストールされた携帯電話機１を操作して保険証情報を直接受信して取得する本人操作処理手順（第２の受付処理）の実施は、操作者即ち被検者が操作する携帯電話機１が、受診、受検を希望する医療機関の内部に位置することが、後に行う操作において、必須条件と成るので、先ず、ステップS６１において、医療機関に到着した後に操作する。
【００４５】
ステップＳ６２において、医療機関の中で、携帯電話機１を起動し（図２の動作Ｗ０５の起動）、モバイル保険証アプリを起動する。この起動が開始されると、ステップＳ６３において、モバイル保険証アプリは、被保険者が設定したモバイル保険証アプリのパスワードの入力を要求する。
【００４６】
ステップＳ６４において、被保険者はパスワードを入力し（同じく動作Ｗ０６）、ステップＳ６５において、認証が成されると、引き続いてステップＳ６６において、被保険者が受診する医療機関の情報、例えば医療機関名、若しくはコード記号・番号を入力するようにシステム、即ちモバイル保険証アプリが要求する。
【００４７】
操作者（被保険者）は、ステップS６７において、被保険者が受診する医療機関名など医療機関に関する情報を携帯電話機１から操作して入力する（同じく動作Ｗ０６）。
【００４８】
ステップＳ６８においては、被保険者の操作により、モバイル保険証アプリが、接続している公衆通信システム４１を介して、携帯電話機１から医療機関名など情報の入力を、保険管理センタ２への通信接続により連絡する。
【００４９】
ステップＳ６９において、医療機関名などの識別情報と、既にインストールしているモバイル保険証アプリに設定している被保険者の個人情報とが共に、保険管理センタ２の被保険者情報データベース部に照会するために送信される。
【００５０】
被保険者の携帯電話機から、医療機関の情報と個人情報の送信を受けた健康保険機関の保険管理センタ２の保険管理センターサーバ２３は、ステップＳ７０において、被保険者の居る位置、即ち携帯電話機１の所在位置を確認するために、携帯電話機１に公衆通信システム４１を介して携帯電話機１のＧＰＳ機能の起動を指示する。
【００５１】
ステップS７１において、携帯電話機１はそのＧＰＳ機能による所在位置データを取得し、ステップＳ７２において、携帯電話機１の所在位置がステップＳ６９で連絡された医療機関内の何れかの位置にあることを判定する（図２のワークフロー図では、ＧＰＳセクションの動作Ｗ０７）。
【００５２】
ステップＳ７２（同じく動作Ｗ０７）の判定において、施設内と判定されると、ステップＳ７３において、保険管理センタ２からその被検者の保険証情報の詳細を、携帯電話機１のモバイル保険証アプリへ送信する（図２のワークフロー図では、管理センタセクションの動作Ｗ０９〜Ｗ１１）。
【００５３】
一方、ステップＳ７２（動作Ｗ１０）の判定において、施設外と判定されると、ステップＳ７８へ進められて、携帯電話機１に「医療機関の外部です。医療機関の内部で操作してください。」を表示して、ステップＳ７１（動作Ｗ０３、Ｗ０５）の前に戻る。
【００５４】
先のステップＳ７３によりモバイル保険証アプリへ送信された保険証情報が、ステップＳ７４において、ＧＰＳ機能による暗号化解除もされて、携帯電話機１に解読可能に表示される。
【００５５】
さらに、ステップＳ７５において、被保険者がステップＳ７４で表示された保険証情報を、医療機関の受診、受検の受付担当者に提示して、病状、不調の状況及び予約の状況を伝える。
【００５６】
ステップＳ７６では、受付担当者は、提示されたモバイル保険証の保険情報及び過去の受診、受検の情報を確認し、ステップＳ７７において担当医、担当診療科の設定、連絡を行って、図３のステップＳ０６において、医療機関の受付を完了する。
【００５７】
図５若しくは図６に示したモバイル保険証の受付が完了した被保険者は、受付の完了によりその医療機関における患者として認知されて、図３のステップＳ０７において、診療を受けることができる。
【００５８】
（会計清算におけるモバイル保険証の処理手順）
全ての受診、検査が終了すると、図３に示すステップＳ０８において、被保険者は、当日の医療行為実施に対する会計処理を行うために、会計受付を行う。
【００５９】
以下では、図３に示す一般的な会計清算のステップS０９〜S１１、および一時的に医療機関を離れた後に清算するステップS１２〜１５のそれぞれで行われる会計清算の手順に伴うモバイル保険証システムの行う動作を説明する。
【００６０】
モバイル保険証による会計清算は、会計受付に出向いて（ステップＳ０８）、診療後直ぐに会計清算を行う場合は、ステップＳ０９において、医療機関の会計部門に設置される読取・清算機（図示せず）に形態電話１をセットする。このセットにより、読取・清算機（図示せず）は、先ずセットした被保険者のパスワードを確認し、医療機関内ＬＡＮにより会計事務サーバ（図示せず）に、その被検者の会計金額を問合わせて、請求金額を表示する（図２のワークフロー図の動作Ｗ２３）。
【００６１】
これに対し、ステップＳ１０において、被保険者が、請求金額を正しく清算機に現金投入すれば、清算機は清算済みを確認し、領収書を発行し会計事務を終了するので、直ちに、次のステップＳ１１において携帯電話機１のモバイル保険証の保険証情報を削除する（図２の動作Ｗ２４）。
【００６２】
なお、ステップＳ１１において、削除を行わず、保険証情報を暗号化して読取りを医療機関外では不可能にすると共に、携帯電話機１に設定していたモバイル保険証のＧＰＳ機能を停止させる処置を行うようにしても良い。この処置は、次に何れかの医療機関を訪れて、ステップS０４若しくはステップS２１の操作を行うまで維持されて、保険証情報は読取り不可で、安全に保護、保管される。
【００６３】
一方、ステップＳ０６の受付、或いはステップＳ０７の受診、検査を終えた被保険者が、ステップＳ０８の会計受付を行わずに、例えば医療機関内で休憩をしていると、所定の時間毎にステップＳ１２若しくはＳ１４において、モバイル保険証アプリのＧＰＳ機能により携帯電話機１の所在位置確認（図２のＧＰＳセクションの動作Ｗ１５、Ｗ１７、Ｗ２０）が行われて、医療機関内であれば、ステップＳ１５で引き続きモバイル保険証は解読可能に待機の状態を維持して（図２の動作Ｗ１８）、再びステップＳ０８へ戻る。
【００６４】
しかし、ステップＳ１２、Ｓ１４の位置確認において、例えば食事のために、医療機関の外へ出ていると、本モバイル保険証のＧＰＳ機能により、医療機関外と判定されて（図２の動作Ｗ１５、Ｗ２０）、ステップＳ１３において、モバイル保険証の保険証情報は、暗号化されて解読ができない処置が行われて（図２の動作Ｗ１６）、待機する。
【００６５】
また、この待機中に所定の時間毎に行われるステップＳ１４の所在位置確認において（動作Ｗ１５）、医療機関内に留まって居る、或いは戻ったと判定されると、ステップＳ１５において保険証情報の暗号化処置が解除されて、解読可能の状態に維持されて（動作Ｗ１８）、再びステップＳ０８へ戻る（動作Ｗ１９、若しくは動作Ｗ２２）。そして、ステップＳ０９の支払いのための読取・清算機の操作が行われることを、モバイル保険証アプリは待機する。
【００６６】
本実施形態によれば、医療機関若しくは介護施設で保険対応の診療を受診する場合、被保険者が保有する携帯電話機に、アプリケーションソフトのモバイル保険証アプリを予めインストールして、保険管理センタに保有されるこの被保険者の保険証情報をモバイル保険証として設定できる。そして、このモバイル保険証に保有される保険証情報は、保険機関が一般的に発行するカード式保険証の保険証情報と同等で、カード式保険証に代えて利用できる。
【００６７】
さらに、本発明によれば、ＧＰＳ機能により、絶えず携行する携帯電話機が医療機関若しくは介護施設の内にあるときだけ、携帯電話機に保持される保険証情報が、可視化され、読み出され、その読取り、解読が有効に行える。また、携帯電話機をたとえ紛失しても、医療機関若しくは介護施設の外では、保険証情報の解読が困難と成るように暗号化されており、保険証情報の漏洩を防止することができる。医療機関内でも、携帯電話機の所有者、即ち被保険者のパスワードにより他人の使用を拒否することができる。
【図面の簡単な説明】
【００６８】
【図１】本発明のモバイル保険証システムの実施形態の構成を示す模式図。
【図２】本発明のモバイル保険証システムの実施形態のワークフロー図。
【図３】本発明のモバイル保険証システムにおける全体の処理フロー図。
【図４】本発明のモバイル保険証アプリを準備する手順を示すフロー図。
【図５】本発明のモバイル保険証における第１の受診受付けの手順を示すフロー図。
【図６】本発明のモバイル保険証における第２の受診受付けの手順を示すフロー図。
【符号の説明】
【００６９】
１・・・携帯電話機、  ２・・・保険管理センタ、  ３・・・医療機関、
１１・・・データ保持部、  １２・・・通信機能部、  １３・・・ＧＰＳ検知部、
１４・・・保険証アプリ部、  ２１・・・被保険者情報データベース部、
２２・・・「モバイル保険証」アプリ部、  ２３・・・保険管理センターサーバ、
３１・・・医療機関サーバ、  ３２・・・保険証データ確認処理部、
３３・・・読取り装置、  ４１・・・公衆通信システム。
【図１】
2009259185.tif 000003
【図２】
2009259185.tif 000004
【図３】
2009259185.tif 000005
【図４】
2009259185.tif 000006
【図５】
2009259185.tif 000007
【図６】
2009259185.tif 000008